(57)【要約】      （修正有）【課題】水槽（養殖池含む）内の生物を介して生じる亜硝酸を低減させていくことが出来る淡水水槽又は海水水槽に生息する生物の生育及び／又は養殖方法の提供。【解決手段】淡水水槽又は海水水槽に生息する生物の生育及び／又は養殖方法は、上水又は淡水を電気分解することで得られる酸素と水素の混合ガスを、水の浄化手段及び／又は濾過手段を有した鑑賞用又は養殖用の淡水水槽に放出させるか若しくは該混合ガスを水の浄化手段及び／又は濾過手段を有した鑑賞用又は養殖用の海水水槽に放出することで該浄化手段又は濾過手段を用いた場合であっても、該水槽内の生物を介して生じる亜硝酸を放出される混合ガスの量及び時間経過に準じて低減させることを特徴とする。【選択図】なし【特許請求の範囲】
【請求項１】
上水又は淡水を電気分解することで得られる酸素と水素の混合ガスを、水の浄化手段及び／又は濾過手段を有した鑑賞用又は養殖用の淡水水槽に放出させるか若しくは該混合ガスを、水の浄化手段及び／又は濾過手段を有した鑑賞用又は養殖用の海水水槽に放出することで該浄化手段及び／又は濾過手段を用いた場合であっても該水槽内の生物を介して生じる亜硝酸を水槽内に放出される混合ガスの量及び時間経過に準じて低減させていくことを特徴とする淡水水槽又は海水水槽に生息する生物の生育及び／又は養殖方法。
【請求項２】
上水又は淡水を電気分解することで得られる酸素と水素の混合ガスを、電気分解浄化装置を水の循環路に設けた鑑賞用又は養殖用の淡水水槽に放出させるか若しくは該混合ガスを、電気分解浄化装置を水の循環路に設けた鑑賞用又は養殖用の海水水槽に放出することで該電気分解浄化装置を用いた場合であっても該水槽内の生物を介して生じる亜硝酸を水槽内に放出される混合ガスの量及び時間経過に準じて低減させていくことを特徴とする淡水水槽又は海水水槽に生息する生物の生育及び／又は養殖方法。
【請求項３】
前記酸素と水素の混合ガスが、電気分解に用いる正負二極間の極性を所定時間毎に交互に入れ替えて生成されることを特徴とする請求項１記載又は２記載の淡水水槽又は海水水槽に生息する生物の生育及び／又は養殖方法。
【請求項４】
前記正負二極が、両面に白金コーティング層が施された板状のチタン電極からなり、しかも該チタン電極の切断外周部及び切断外周縁には両面の白金コーティング層まで一体化して繋がる周部白金コーティング層が設けられてなることを特徴とする請求項３記載の淡水水槽又は海水水槽に生息する生物の生育及び／又は養殖方法。
【請求項５】
前記上水又は淡水には、所定量の水酸化カリウム又は重曹の少なくとも何れか一方が添加されることを特徴とする請求項１乃至４の何れかに記載の淡水水槽又は海水水槽に生息する生物の生育及び／又は養殖方法。
【請求項６】
前記混合ガスが、マイクロバブル〜ナノバブルの範囲内でバブルを発生するバブリング装置に導入された後、該バブリング装置に吸水される淡水水槽又は海水水槽の水に混合攪拌されて該水槽内に強制発散されることを特徴とする請求項１乃至５の何れかに記載の淡水水槽又は海水水槽に生息する生物の生育及び／又は養殖方法。
【発明の詳細な説明】
【技術分野】
【０００１】  本発明は、淡水や海水の使用に限定することなく、各種の浄化手段及び／又は濾過手段を有した各種魚介類等の種苗生産場水槽、養魚場水槽、鑑賞魚用水槽、水族館水槽等のみならず、前記浄化手段及び／又は濾過手段を有すると共に前記水槽を兼ねるべく各種魚介類の養殖池等にも用いられ、しかも該浄化手段及び／又は濾過手段を用いた場合であっても水槽（養殖池含む）内の生物を介して生じる亜硝酸を低減させていくことが出来る淡水水槽又は海水水槽に生息する生物の生育及び／又は養殖方法に関するものである。
【背景技術】
【０００２】  従来、例えば、各種魚介類等の種苗生産場水槽、養魚場水槽、鑑賞魚用水槽等に各種の浄化手段及び／又は濾過手段を有したものとしては、特開２００４−２５４５７７号公報及び特開平０５−１３１１９８号公報所載のものがある。
上記前者のものは、飼育水槽の海水を循環経路を通して循環させながら、該循環経路に接続した電気分解槽で飼育魚介類の排泄物から生じる強毒性のアンモニアを除去しつつ該電気分解槽より上流の飼育水槽に自然発生した硝化細菌による生物硝化の段階と魚介類の飼育段階に合わせて電気分解槽の電気分解強度を変化させることで、効率良く魚介類を飼育することが出来る魚介類の養殖方法であり、上記後者のものは、水槽の水を循環する強制循環流路に、塩基性物質を主成分とする鉱物質から成る海水浄化モジュルと、海水の電気分解装置と、空気供給手段と紫外線照射装置を配置し、しかも前記海水浄化モジュルに海水浄化用バクテリアの人工培養菌とバクテリア活性物質を使用した海水浄化装置であり、魚の排泄する有害なアンモニアを無害な硝酸に酸化分解する好気性細菌の活性を高めつつ水槽中の汚れや有機物も海水の電気分解により生じる次亜塩素酸により酸化分解することが出来るというものである。
【特許文献１】特開２００４−２５４５７７号公報
【特許文献２】特開平０５−１３１１９８号公報
【発明の概要】
【発明が解決しようとする課題】
【０００３】  一般的に、魚から出る排泄物はアンモニアという毒性の高い物質であり、アンモニアはバクテリアであるニトロソモナスの働きによりアンモニアよりは毒性の低い亜硝酸となり、更に該亜硝酸は濾過バクテリアであるニトロバクターの働きにより更に毒性の極めて低い硝酸塩に変化していくことになる。
通常、水槽には各種の浄化手段及び／又は濾過手段が設けられており、例えば各種のフィルター及び濾過装置にはこのバクテリアが多く定着しており、よってニトロソモナス及びニトロバクターを介して毒素の高いアンモニアをアンモニアよりは毒素の低い亜硝酸から更に毒性の極めて低い硝酸塩へと順次変化させていくのであるが、上記前者公報及び後者公報の所載の技術の様に、更に電気分解槽を加えることでアンモニアを強制的に除去し、しいては各種魚介類等の育成及び／又は養殖を効率よく行える様に考えられたものはあるものの、各種魚介類等の種苗生産場水槽、養魚場水槽、鑑賞魚用水槽、水族館水槽等のみならず、水槽を兼ねるべく各種魚介類の養殖池等も含め水の循環経路に設けられた電気分解槽へと水槽内の水を導く取水口の設置箇所、水槽の大きさ（水槽の深さ、縦横の比率、貯留水量、水槽の構造・種類等）、水槽内の水の対流方向、産卵時期又は外気温の変化に伴う水槽内の温度変化等による餌の摂取量等の各種諸条件により、例え水の循環経路に電気分解槽を用いた場合でも毒素の高いアンモニアを瞬時も若しくは短時間に無害化することは出来ず、よって上記各種条件下において、電気分解槽を用いても処理できないアンモニアが水槽内に留まって亜硝酸に変化（亜硝酸が発生するのは生物の数・大きさに対して飼育設備のキャパシティをオーバーしている場合もあり）した場合に、該亜硝酸を介しての水の毒性を瞬時も若しくは短時間に水槽内の生物である各種魚介類等の育成及び／又は養殖において全く影響のないレベルまで低減させることが出来ないかと言う問題が生じていた。
【課題を解決するための手段】
【０００４】  即ち、本発明は，上記問題を全て解決すべく以下の手段を講じたものであり、係る請求項１記載の淡水水槽又は海水水槽に生息する生物の生育及び／又は養殖方法は、上水又は淡水を電気分解することで得られる酸素と水素の混合ガスを、水の浄化手段及び／又は濾過手段を有した鑑賞用又は養殖用の淡水水槽に放出させるか若しくは該混合ガスを水の浄化手段及び／又は濾過手段を有した鑑賞用又は養殖用の海水水槽に放出することで該浄化手段又は濾過手段を用いた場合であっても該水槽内の生物を介して生じる亜硝酸を放出される混合ガスの量及び時間経過に準じて低減させることにある。【０００５】  更に、請求項２記載の淡水水槽又は海水水槽に生息する生物の生育及び／又は養殖方法は、上水又は淡水を電気分解することで得られる酸素と水素の混合ガスを、電気分解浄化装置を水の循環路に設けた鑑賞用又は養殖用の淡水水槽に放出させるか若しくは該混合ガスを、電気分解浄化装置を水の循環路に設けた鑑賞用又は養殖用の海水水槽に放出することで該電気分解浄化装置を用いた場合であっても該水槽内の生物を介して生じる亜硝酸を放出される混合ガスの量及び時間経過に準じて低減させることにある。【０００６】  更に、請求項３記載の淡水水槽又は海水水槽に生息する生物の生育及び／又は養殖方法は、酸素と水素の混合ガスが、電気分解に用いる正負二極間の極性を所定時間毎に交互に入れ替えて生成することにある。【０００７】  更に、請求項４記載の淡水水槽又は海水水槽に生息する生物の生育及び／又は養殖方法は、電気分解に用いる正負二極が、両面に白金コーティング層が施された板状のチタン電極からなり、しかも該チタン電極の切断外周部及び切断外周縁には両面の白金コーティング層まで一体化して繋がる周部白金コーティング層が設けられたことにある。【０００８】  又、請求項５記載の淡水水槽又は海水水槽に生息する生物の生育及び／又は養殖方法は、上水又は淡水には、所定量の水酸化カリウム又は重曹の少なくとも何れか一方が添加されることにある。【０００９】  更に、請求項６記載の淡水水槽又は海水水槽に生息する生物の生育及び／又は養殖方法は、混合ガスが、マイクロバブル〜ナノバブルの範囲内でバブルを発生するバブリング装置に導入された後、該バブリング装置に吸水される淡水水槽又は海水水槽の水に混合攪拌されて該水槽内に強制発散されることにある。
【発明の効果】
【００１０】  本発明における請求項１記載の淡水水槽又は海水水槽に生息する生物の生育及び／又は養殖方法は、上水又は淡水を電気分解することで得られる酸素と水素の混合ガスを、水の浄化手段及び／又は濾過手段を有した鑑賞用又は養殖用の淡水水槽に放出させるか若しくは該混合ガスを水の浄化手段及び／又は濾過手段を有した鑑賞用又は養殖用の海水水槽に放出することで該浄化手段又は濾過手段を用いた場合であっても該水槽内の生物を介して生じる亜硝酸を、放出される混合ガスの量及び時間経過に準じて低減させることが出来るものである。【００１１】  更に詳しくは、各種魚介類等の種苗生産場水槽、養魚場水槽、鑑賞魚用水槽、水族館水槽等のみならず、水槽を兼ねるべく各種魚介類の養殖池等も含め、水槽の大きさ（水槽の深さ、縦横の比率、貯留水量、水槽の構造・種類等）、水槽内の水の対流方向、産卵時期又は外気温の変化に伴う水槽内の温度変化等による餌の摂取量等の各種諸条件により、例え該水槽に水の浄化手段及び／又は濾過手段を有した場合であっても、毒素の高いアンモニアを瞬時も若しくは短時間に無害化することが出来ずに該アンモニアが水槽内に留まることで水槽内のバクテリアであるニトロソモナスの働きによりアンモニアよりは毒性の低い亜硝酸に変化した場合でも上水又は淡水を電気分解することで得られる純粋且つ高密度な酸素分子を介して濾過バクテリアであるニトロバクターの成長及び働きを最大限に促して水槽内の亜硝酸を急速に毒性の低い硝酸塩に変化させて行くことが可能となり、更に、上水又は淡水を電気分解することで得られる純粋且つ高密度な水素分子が水の活性化を促すこととなり、しいては酸素分子及び水素分子を介して亜硝酸による水の毒性を瞬時も若しくは短時間に水槽内の生物である各種魚介類等の育成及び／又は養殖において全く影響のないレベルまで低減させていくことが出来るという格別な効果を奏する。【００１２】  更に、本発明における請求項２記載の淡水水槽又は海水水槽に生息する生物の生育及び／又は養殖方法は、上水又は淡水を電気分解することで得られる酸素と水素の混合ガスを、電気分解浄化装置を水の循環路に設けた鑑賞用又は養殖用の淡水水槽に放出させるか若しくは該混合ガスを、電気分解浄化装置を水の循環路に設けた鑑賞用又は養殖用の海水水槽に放出することで該電気分解浄化装置を用いた場合であっても該水槽内の生物を介して生じる亜硝酸を放出される混合ガスの量及び時間経過に準じて低減させることが出来るものである。【００１３】  更に詳しくは、各種魚介類等の種苗生産場水槽、養魚場水槽、鑑賞魚用水槽、水族館水槽等のみならず、水槽を兼ねるべく各種魚介類の養殖池等も含め水の循環経路に設けられた電気分解槽へと水槽内の水を導く取水口の設置箇所、水槽の大きさ（水槽の深さ、縦横の比率、貯留水量、水槽の構造・種類等）、水槽内の水の対流方向、産卵時期又は外気温の変化に伴う水槽内の温度変化等による餌の摂取量等の各種諸条件により、例え水の循環経路に電気分解槽を用いた場合でも毒素の高いアンモニアを瞬時も若しくは短時間に無害化することが出来ずに該アンモニアが水槽内に留まることで水槽内のバクテリアであるニトロソモナスの働きによりアンモニア���りは毒性の低い亜硝酸に変化した場合でも上水又は淡水を電気分解することで得られる純粋且つ高密度な酸素分子を介して濾過バクテリアであるニトロバクターの成長及び働きを最大限に促して水槽内の亜硝酸を急速に毒性の低い硝酸塩に変化させて行くことが可能となり、更に上水又は淡水を電気分解することで得られる純粋且つ高密度な水素分子が水の活性化を促すこととなり、しいては酸素分子及び水素分子を介して亜硝酸による水の毒性を瞬時も若しくは短時間に水槽内の生物である各種魚介類等の育成及び／又は養殖において全く影響のないレベルまで低減させていくことが出来るという格別な効果を奏する。【００１４】  又、本発明における請求項３記載の淡水水槽又は海水水槽に生息する生物の生育及び／又は養殖方法は、酸素と水素の混合ガスを、電気分解に用いる正負二極間の極性を所定時間毎に交互に入れ替えて生成することが出来るものである。
よって、正負二極間の極性を入れ替えることで、通電による金属電極部材の溶出を抑えて電極そのものの寿命を延ばすことが出来るという効果を奏する。【００１５】  更に、本発明における請求項４記載の淡水水槽又は海水水槽に生息する生物の生育及び／又は養殖方法は、電気分解に用いる正負二極が、両面に白金コーティング層が施された板状のチタン電極からなり、しかも該チタン電極の切断外周部及び切断外周縁には両面の白金コーティング層まで一体化して繋がる周部白金コーティング層が設けられたことから、通電による金属電極部材自体の溶出を、通常のステンレス等の金属電極の溶出の数倍抑えることが可能となるばかりか、特に周部白金コーティング層を介して電極の切断外周部及び切断外周縁からの極少の溶出をも確実に抑えることが出来るという格別な効果を奏する。【００１６】  更に、本発明における請求項５記載の淡水水槽又は海水水槽に生息する生物の生育及び／又は養殖方法は、上水又は淡水には、所定量の水酸化カリウム又は重曹の少なくとも何れか一方が添加されることから、水酸化カリウムが添加されることで正負二極に印加される電流値を増大させることもなく、同電流値での混合ガスの発生量を飛躍的に増大させることが出来る効果を有するのみならず、重曹を用いた場合には、水酸化カリウムより安全面を考慮することが出来るという効果を奏する。【００１７】  又、本発明における請求項６記載の淡水水槽又は海水水槽に生息する生物の生育及び／又は養殖方法は、混合ガスが、マイクロバブル〜ナノバブルの範囲内でバブルを発生するバブリング装置に導入された後、該バブリング装置に吸水される淡水水槽又は海水水槽の水に混合攪拌されて該水槽内に強制発散されることから、極めて瞬時若しくは極短時間に水槽内に混合ガスを強制的に混ぜ合わせて濾過バクテリアであるニトロバクターの成長及び働きを最大限に促して水槽内の亜硝酸を急速に毒性の低い硝酸塩に変化させて行くことが可能となるばかりか、水の活性化をも強制的に促すことが出来るという効果を奏する。
【発明を実施するための形態】
【００１８】  以下、本発明の淡水水槽又は海水水槽に生息する生物の生育及び／又は養殖方法を、淡水や海水の使用に限定することなく、各種の浄化手段及び／又は濾過手段を有した各種魚介類等の種苗生産場水槽、養魚場水槽、鑑賞魚用水槽、水族館水槽等のみならず、前記浄化手段及び／又は濾過手段を有すると共に前記水槽を兼ねるべく各種魚介類の養殖池等に適用する場合について説明する。
【００１９】  先ず、上水又は淡水を電気分解することで得られる酸素と水素の混合ガスを、水の浄化手段及び／又は濾過手段を有した鑑賞用又は養殖用の淡水水槽に放出させるか若しくは該混合ガスを水の浄化手段及び／又は濾過手段を有した鑑賞用又は養殖用の海水水槽に放出することで該浄化手段又は濾過手段を用いた場合であっても該水槽内の生物を介して生じる亜硝酸を、放出される混合ガスの量及び時間経過に準じて低減させることが出来るものであり、詳しくは、各種魚介類等の種苗生産場水槽、養魚場水槽、鑑賞魚用水槽、水族館水槽等のみならず、水槽を兼ねるべく各種魚介類の養殖池等も含め、水槽の大きさ（水槽の深さ、縦横の比率、貯留水量、水槽の構造・種類等）、水槽内の水の対流方向、産卵時期又は外気温の変化に伴う水槽内の温度変化等による餌の摂取量等の各種諸条件により、例え、該水槽に水の浄化手段及び／又は濾過手段を有した場合であっても、毒素の高いアンモニアを瞬時も若しくは短時間に無害化することが出来ずに該アンモニアが水槽内に留まることで水槽内のバクテリアであるニトロソモナスの働きによりアンモニアよりは毒性の低い亜硝酸に変化した場合でも上水又は淡水を電気分解することで得られる純粋且つ高密度な酸素分子を介して濾過バクテリアであるニトロバクターの成長及び働きを最大限に促して水槽内の亜硝酸を急速に毒性の低い硝酸塩に変化させて行くことが可能となり、更に上水又は淡水を電気分解することで得られる純粋且つ高密度な水素分子が水の活性化を促すこととなり、しいては酸素分子及び水素分子を介して亜硝酸による水の毒性を瞬時も若しくは短時間に水槽内の生物である各種魚介類等の育成及び／又は養殖において全く影響のないレベルまで低減させていくことが出来るという格別な利点がある。
【００２０】  更に、上水又は淡水を電気分解することで得られる酸素と水素の混合ガスを、電気分解浄化装置を水の循環路に設けた鑑賞用又は養殖用の淡水水槽に放出させるか若しくは該混合ガスを、電気分解浄化装置を水の循環路に設けた鑑賞用又は養殖用の海水水槽に放出することで該電気分解浄化装置を用いた場合であっても該水槽内の生物を介して生じる亜硝酸を放出される混合ガスの量及び時間経過に準じて低減させることが出来るものであり、詳しくは、各種魚介類等の種苗生産場水槽、養魚場水槽、鑑賞魚用水槽、水族館水槽等のみならず、水槽を兼ねるべく各種魚介類の養殖池等も含め水の循環経路に設けられた電気分解槽へと水槽内の水を導く取水口の設置箇所、水槽の大きさ（水槽の深さ、縦横の比率、貯留水量、水槽の構造・種類等）、水槽内の水の対流方向、産卵時期又は外気温の変化に伴う水槽内の温度変化等による餌の摂取量等の各種諸条件により、例え水の循環経路に電気分解槽を用いた場合でも毒素の高いアンモニアを瞬時も若しくは短時間に無害化することが出来ずに該アンモニアが水槽内に留まることで水槽内のバクテリアであるニトロソモナスの働きによりアンモニアよりは毒性の低い亜硝酸に変化した場合でも上水又は淡水を電気分解することで得られる純粋且つ高密度な酸素分子を介して濾過バクテリアであるニトロバクターの成長及び働きを最大限に促して水槽内の亜硝酸を急速に毒性の低い硝酸塩に変化させて行くことが可能となり、更に上水又は淡水を電気分解することで得られる純粋且つ高密度な水素分子が水の活性化を促すこととなり、しいては酸素分子及び水素分子を介して亜硝酸による水の毒性を瞬時も若しくは短時間に水槽内の生物である各種魚介類等の育成及び／又は養殖において全く影響のないレベルまで低減させていくことが出来るという格別な利点がある。
【００２１】  又、淡水水槽又は海水水槽に生息する生物の生育及び／又は養殖方法は、酸素と水素の混合ガスを、電気分解に用いる正負二極間の極性を所定時間毎に交互に入れ替えることで、通電による金属電極部材の溶出を抑えて電極そのものの寿命を延ばすことが出来るという利点を奏する。
【００２２】  更に、淡水水槽又は海水水槽に生息する生物の生育及び／又は養殖方法は、電気分解に用いる正負二極が、両面に白金コーティング層が施された板状のチタン電極からなり、しかも該チタン電極の切断外周部及び切断外周縁には両面の白金コーティング層まで一体化して繋がる周部白金コーティング層が設けられた場合には、通電による金属電極部材自体の溶出を、通常のステンレス等の金属電極の溶出の数倍抑えることが可能となるばかりか、特に周部白金コーティング層を介して電極の切断外周部及び切断外周縁からの極少の溶出をも確実に抑えることが出来るという格別な利点を奏する。
【００２３】  更に、淡水水槽又は海水水槽に生息する生物の生育及び／又は養殖方法は、上水又は淡水に、所定量の水酸化カリウム又は重曹の少なくとも何れか一方を添加する際、水酸化カリウムを添加した場合には正負二極に印加される電流値を増大させることもなく、同電流値での混合ガスの発生量を飛躍的に増大させることが出来る効果を有するのみならず、重曹を用いた場合には、水酸化カリウムより安全面を考慮することが出来るという利点を奏する。
【００２４】  又、淡水水槽又は海水水槽に生息する生物の生育及び／又は養殖方法は、混合ガスが、マイクロバブル〜ナノバブルの範囲内でバブルを発生するバブリング装置に導入された後、該バブリング装置に吸水される淡水水槽又は海水水槽の水に混合攪拌されて該水槽内に強制発散することで、極めて瞬時若しくは極短時間に水槽内に混合ガスを強制的に混ぜ合わせて濾過バクテリアであるニトロバクターの成長及び働きを最大限に促して水槽内の亜硝酸を急速に毒性の低い硝酸塩に変化させて行くことが可能となるばかりか、水の活性化をも強制的に促すことが出来るという利点を奏する。
【００２５】  実施形態において、各種魚介類等の種苗生産場水槽、養魚場水槽、鑑賞魚用水槽、水族館水槽等のみならず、水槽を兼ねるべく各種魚介類の養殖池等の各水槽の大きさ（水槽の深さ、縦横の比率、貯留水量、水槽の構造・種類等）のみならず生育及び／又は養殖される生物（魚介類）の種類、数量、重量等も決して限定されるものではなく、更に各水槽に設けられる浄化手段及び／又は濾過手段若しくは各水槽の水の循環路に設けられる電気分解浄化装置の具体的な構造、構成、数量等も限定されるものではなく、本発明の意図する範囲内で設計変更自在であるのは言うまでもない。
【産業上の利用可能性】
【００２６】  本発明における淡水水槽又は海水水槽に生息する生物の生育及び／又は養殖方法は、浄化手段及び／又は濾過手段若しくは水の循環路に電気分解浄化装置を有すると共に、淡水又は海水を使用した各種魚介類等の種苗生産場水槽、養魚場水槽、鑑賞魚用水槽、水族館水槽等のみならず、水槽を兼ねるべく各種魚介類の養殖池等の各水槽に適用可能である。